(57)【特許請求の範囲】
【請求項１】
情報の読み出し及び書込み可能で複数のアドレスを有する半導体メモリを記録媒体として取り扱う装置であって、
少なくとも映像、音声及び時間を含む素材情報信号を取得する素材情報信号取得手段と、
外部操作で入力された任意の情報信号を取得する任意情報信号取得手段と、
前記半導体メモリにアクセスし、前記素材情報信号取得手段で取得された素材情報信号及び前記任意情報信号取得手段で取得された任意の情報信号をそれぞれアドレス別に前記半導体メモリに書込み、指定されたアドレスに応じて前記半導体メモリに書き込まれた素材情報信号及び任意の情報信号の読み出しの少なくとも一方を行なうメモリアクセス手段とを具備し、
前記任意情報信号取得手段は、
外部装置と接続する接続手段と、
前記外部装置に対応するアプリケーションソフトを記憶した記憶部と、
前記接続手段に前記外部装置が接続されるとき、前記外部装置に対し指令信号を送り、制御信号を送出させ、この制御信号を受信して前記外部装置で使用されているデータコードのフォーマットを自動的に判別するフォーマット判別手段と、
このフォーマット判別手段による判別結果に基づいて、前記記憶部から対応するアプリケーションソフトを読み出し、この読み出したアプリケーションソフトに従って前記接続手段により接続された外部装置からの情報信号を自装置のフォーマットに変換して取得する手段とを有してなることを特徴とするメモリ情報処理装置。
【請求項２】
前記任意情報信号取得手段は、自装置の状態を検出する状態検出手段を有し、この状態検出手段で検出された状態情報を任意の情報信号として前記メモリアクセス手段に送出することを特徴とする請求項１記載のメモリ情報処理装置
【請求項３】
さらに、表示器と、前記メモリアクセス手段で前記半導体メモリから読み出された情報信号を前記表示器に表示する表示制御手段とを備えることを特徴とする請求項１記載のメモリ情報処理装置。
【請求項４】
前記メモリアクセス手段は、前記半導体メモリのメモリ容量の残量を検出するメモリ残量検出手段を有し、
前記表示制御手段は、前記メモリ残量検出手段で検出されたメモリ残量情報を前記表示器に表示する手段を有してなることを特徴とする請求項１または３記載のメモリ情報処理装置。
【請求項５】
前記メモリアクセス手段は、前記素材情報と前記任意情報とを合わせた情報信号と別々の情報信号とを選択的に読み出し、
前記表示制御手段は、前記メモリアクセス手段に連動して、前記素材情報と前記任意情報とを合わせた情報信号と別々の情報信号とを選択的に前記表示器に表示することを特徴とする請求項１または３記載のメモリ情報処理装置。
【発明の詳細な説明】
【０００１】
【発明の属する技術分野】
この発明は、メモリカセットに内蔵された半導体メモリの記憶情報の処理を行なうメモリ情報処理装置に関する。
【０００２】
【従来の技術】
従来、例えばビデオカメラ等のように、テープを記録媒体として情報信号の記録や再生を行なう記録再生装置にあっては、映像、音声及び時間を含む素材情報信号の他に、外部操作で入力した記録時の自装置の状態や記録される映像内容に関する情報信号もテープに記録できるようにしたものがある。
【０００３】
しかし、この種の記録再生装置では、記録時の自装置の状態及び記録される映像内容に関する情報信号を記録映像と同時に記録するために、映像信号もしくは音声信号に多重化処理もしくはデータ処理を施す機能が必要となり、コストが増大してしまう。また、再生する場合も、テープに記録した順番でしか取り出すことができないため、外部操作で入力した情報を素材情報と同時、もしくは入力した情報のみを即座に確認できず不便である。
【０００４】
【発明が解決しようとする課題】
以上のように、従来の記録再生装置では、外部操作で入力した情報信号を素材情報信号と同時に記録するために、映像信号もしくは音声信号に多重化処理もしくはデータ処理を施す機能が必要となり、コストが増大してしまうという問題を有している。また、再生する場合も、テープに記録した順番でしか取り出すことができないため、外部操作で入力した情報を素材情報と同時もしくは入力した情報のみを即座に確認できず不便であるといった問題を有している。
【０００５】
この発明の目的は、外部からの任意の情報に対し、多重化処理もしくはデータ処理を行なうことなく素材情報と同時もしくは単独で記録可能で、また、記録された情報内容を迅速にかつ簡単に調べることが可能なメモリ情報処理装置を提供することにある。
【０００６】
【課題を解決するための手段】
この発明に係るメモリ情報処理装置は、情報の読み出し及び書き込み可能なメモリを記録媒体として取り扱う装置であって、少なくとも映像、音声及び時間を含む素材情報信号を取得する素材情報信号取得手段と、外部操作で入力された任意の情報信号を取得する任意情報信号取得手段と、メモリにアクセスし、素材情報信号取得手段及び任意情報信号取得手段で取得された各情報信号をメモリに書込み、メモリに書き込まれた情報信号の読み出しの少なくとも一方を行なうメモリアクセス手段とを備えるようにしたものである。
【０００７】
この構成によれば、記録媒体としてメモリを使用し、映像、音声及び時間を含む素材情報だけでなく、外部操作で入力された任意の情報を取得して、同じメモリに書込み、同じメモリから素材情報及び任意の情報を同時もしくは別々に読み出すようにしているので、素材情報及び任意の情報を多重化処理もしくはデータ処理することなく、メモリに記録時の装置の状態、記録映像内容に関するデータ等の任意の情報を記録映像と同時もしくは単独で書き込むことができ、また、記録映像の再生時もしくは単独でメモリに書き込まれた任意の情報内容を迅速にかつ簡単に調べることができるようになる。
【０００８】
上記構成において、任意情報信号取得手段は、外部装置と接続する接続手段と、この接続手段により接続された外部装置からの情報信号を取得する手段とを有してなることを特徴とする。
【０００９】
この構成によれば、パーソナルコンピュータ等で作成した電子情報をメモリに書き込むようにしているので、記録時の映像及び音声と同時もしくは単独で、電子情報の確認をとることができる。
【００１０】
上記構成において、さらに、表示器と、メモリアクセス手段でメモリから読み出された情報信号を表示器に表示する表示制御手段とを備えることを特徴とする。
【００１１】
この構成によれば、ユーザは、表示器を見ることによりメモリに記録された情報内容を簡単に認識することができるようになる。
【００１２】
また、上記構成において、メモリアクセス手段は、メモリ容量の残量を検出するメモリ残量検出手段を有し、表示制御手段は、メモリ残量検出手段で検出されたメモリ残量情報を表示器に表示する手段を有してなることを特徴とする。
【００１３】
この構成によれば、ユーザは、表示器に表示されたメモリ容量情報に基づいて、現在どのくらいのメモリ容量が残っているのかを把握することができるため、メモリ満杯による各種トラブルを回避することが容易となる。
【００１４】
上記構成において、メモリアクセス手段は、素材情報と任意情報とを合わせた情報信号と別々の情報信号とを選択的に読み出し、表示制御手段は、メモリアクセス手段に連動して、素材情報と任意情報とを合わせた情報信号と別々の情報信号とを選択的に表示器に表示することを特徴とする。
【００１５】
この構成によれば、例えば、表示器の表示画面がせまい場合には、画面内に多くの情報を乗せると見づらくなる。このため、ユーザの選択により、素材情報と任意情報とで選択的に表示できるようにすれば、ユーザは見やすい画面でメモリに記録された情報内容を確認できるようになる。また、任意情報だけ確認したい場合にも、即座にメモリから任意情報を読み出して確認できるようになる。
【００１６】
【発明の実施の形態】
以下、この発明の実施形態について図面を参照して詳細に説明する。
【００１７】
図１は、この発明に係るメモリ情報処理装置の一実施形態における全体の概略構成図であり、図２は、内部のブロック構成図である。
図１において、図中符号１はメモリ情報処理装置本体で、後部（図１では右側）にメモリアクセス装置２を設け、メモリカセット３を装着してこのメモリカセット３に内蔵される半導体メモリ（図２で図示）に対し、情報の書込み、読み出しの少なくとも一方を行なう。また、このメモリ情報処理装置本体１は、その前側（図１では左側）に電子ファインダ４、マイク５及びレンズ６を設けている。
【００１８】
このうち、電子ファインダ４は、半導体メモリの記録情報内容を表示する。マイク５は記録時の音声信号を取り込み、レンズ６は記録時の映像信号を取り込む。
【００１９】
次に、メモリ情報処理装置本体１における情報処理について図２を参照して説明する。
図２において、レンズ６で取り込んだ映像信号は、映像処理部１１でデジタル信号に変換された後、映像情報信号として映像情報出力部１２を介してインタフェース２１に供給される。同時に、マイク５で取り込まれた音声信号は、音声処理部１３でデジタル信号に変換された後、音声情報信号として音声情報出力部１４を介してインタフェース２１に供給される。
【００２０】
一方、メモリ情報処理装置本体１に設けられたキースイッチ１５で入力されたメモ等の任意の情報信号は、データ情報処理部１６に供給され、デジタル信号に変換された後、データ情報信号としてデータ情報出力部１７を介してインタフェース２１に供給される。また、データ情報処理部１６は、撮影時のレンズ６の焦点距離、絞り値、装置の設定状態を検出する状態検出機能を備えており、この状態検出機能で検出された状態情報を任意のデータ情報信号としてデータ情報出力部１７を介してインタフェース２１に送出する。
【００２１】
さらに、データ情報処理部１６は、端子１８を設けており、この端子１８を介してパーソナルコンピュータ等の外部装置（図示せず）と接続し、外部装置からのデータ情報信号を取り込み、データ情報出力部１７を介してインタフェース２１に送出する。この場合、データ情報処理部１６には、フォーマット判別機能と、外部装置に対応するアプリケーションソフトを記憶した記憶部と、フォーマット変換機能とを設けておくようにしている。すなわち、データ情報処理部１６は、端子１８を介して外部装置に接続されると、外部装置に指令信号を送り、制御信号を送出させる。この制御信号を受け取ると、自動的に外部装置で使用されているデータコードのフォーマットを判別する。この判別結果に基づいて、記憶部から対応するアプリケーションソフトを読み出し、この読み出したアプリケーションソフトに従って、入力した制御信号を自装置のフォーマットに変換し、自装置の応答信号を外部装置で使用されているフォーマットに変換する。これによって、外部装置で作成されたデータ情報をデータ情報処理部１６で取り扱うことが可能となる。
【００２２】
メモリアクセス装置２のインタフェース２１は、メモリカセット３が装着されたことを検出すると、メモリカセット３内の半導体メモリ３１にアクセスし、入力された映像情報信号及び音声情報信号を含む素材情報信号、及びデータ情報信号を半導体メモリに記録する。また、インタフェース２１は、図示しないタイマ機能により計測された時間情報も素材情報信号に含めて半導体メモリ３１に記録するようにしている。
【００２３】
また、インタフェース２１は、外部からの操作に応じて、半導体メモリ３１に記録された情報を読み出す。この読み出された情報は、表示処理部１９に取り込まれ、電子ファインダ４に表示される。この場合、インタフェース２１は、外部操作に応じて、映像情報、音声情報及び時間情報を含む素材情報とデータ情報とを合わせた情報信号と別々の情報信号とを選択的に半導体メモリ３１から読み出し、表示処理部１９は、インタフェース２１に連動して、素材情報とデータ情報とを合わせた情報信号と別々の情報信号とを選択的に電子ファインダ４に表示する。なお、半導体メモリ３１に記録される素材情報及びデータ情報は、それぞれアドレス別に記録されることになるので、記録情報内容を確認したい場合には、アドレスを指定すれば、素材情報とデータ情報とを合わせた情報もしくはデータ情報単独で読み出すことができる。
【００２４】
さらに、インタフェース２１は、半導体メモリ３１の残量を検出するメモリ残量検出機能を備え、表示処理部１９は、インタフェース２１のメモリ残量検出機能で検出されたメモリ残量情報を電子ファインダ４に表示するようにしている。
【００２５】
以上のように上記実施形態によれば、記録媒体として半導体メモリ３１を使用し、映像、音声及び時間を含む素材情報だけでなく、外部操作で入力された入力情報及び撮影時の装置の状態情報を含む任意のデータ情報をデータ情報処理部１６で取得して、インタフェース２１にて同じ半導体メモリ３１に書込み、同じ半導体メモリ３１から素材情報、外部の入力情報及び装置の状態情報を含む任意のデータ情報を同時もしくは別々に読み出すようにしているので、素材情報及び任意のデータ情報を多重化処理もしくはデータ処理することなく、半導体メモリ３１に撮影時の状態、記録映像内容に関するデータ等の任意のデータ情報を記録映像と同時もしくは単独で記録でき、また、記録映像の再生時もしくは単独で半導体メモリ３１に記録された任意のデータ情報内容を迅速にかつ簡単に調べることができるようになる。
【００２６】
また、パーソナルコンピュータ等で作成した電子情報を端子１８及びデータ情報処理部１６を介して半導体メモリ３１に記録するようにしているので、撮影時の記録映像及び音声と同時もしくは単独で、電子情報の確認をとることもできる。この場合、データ情報処理部１６は、パーソナルコンピュータで使用しているフォーマットを自動的に判別してアプリケーションソフトを選び出し、このソフトによってフォーマット変換を行なうので、フォーマットの異なる各種コンピュータに対応することができ、汎用性を高めることができる。
【００２７】
また、インタフェース２１で半導体メモリ３１から読み出された情報信号を表示処理部１９により電子ファインダ４に表示するようにしているので、ユーザは、電子ファインダ４を見ることにより半導体メモリ３１に記録された情報内容を簡単に認識することができるようになる。
【００２８】
さらに、インタフェース２１は、半導体メモリ３１の残量を検出するメモリ残量検出機能を有し、表示処理部１９は、メモリ残量検出機能で検出されたメモリ残量情報を電子ファインダ４に表示するようにしているので、ユーザは、電子ファインダ４に表示されたメモリ残量情報に基づいて、現在どのくらいのメモリ容量が残っているのかを把握することができ、メモリ満杯による各種トラブルを回避することが容易となる。
【００２９】
なお、電子ファインダ４の表示画面がせまい場合には、画面内に多くの情報を乗せると見づらくなる。このため、ユーザの選択により、素材情報とデータ情報とで選択的に表示できるようにすれば、ユーザは見やすい画面で半導体メモリ３１に記録された情報内容を確認できるようになる。また、任意のデータ情報だけ確認したい場合にも、即座に半導体メモリ３１から任意のデータ情報を読み出して確認できるようになる。
【００３０】
なお、上記実施形態では、半導体メモリを内蔵したメモリカセット３を着脱可能に用いる例について説明したが、例えばメモリアクセス装置２とメモリカセット３とをケーブル等で接続し、遠隔操作で半導体メモリ３１に対する情報の書込み、読み出しを行なうようにしてもよい。
【００３１】
その他、メモリ情報処理装置本体の構成や、電子ファインダ、マイク及びレンズの構成、メモリアクセス装置内のインタフェースの種類、メモリの種類等についても、この発明の要旨を逸脱しない範囲で種々変形して実施できる。
【００３２】
【発明の効果】
以上詳述したようにこの発明によれば、外部からの任意の情報に対し、多重化処理もしくはデータ処理を行なうことなく素材情報と同時もしくは単独に記録可能で、また、記録された情報内容を迅速にかつ簡単に調べることが可能なメモリ情報処理装置を提供することができる。
【図面の簡単な説明】
【図１】この発明に係るメモリ情報処理装置の一実施形態を示す概略構成図。
【図２】同実施形態の内部構成を示すブロック構成図。
【符号の説明】
１…メモリ情報処理装置本体、
２…メモリアクセス装置、
３…メモリカセット、
４…電子ファインダ、
５…マイク、
６…レンズ、
１１…映像処理部、
１２…映像情報出力部、
１３…音声処理部、
１４…音声情報出力部、
１５…キースイッチ、
１６…データ情報処理部、
１７…データ情報出力部、
１８…端子、
１９…表示処理部、
２１…インタフェース、
３１…半導体メモリ。
【図１】
0004322363.tif 000002
【図２】
0004322363.tif 000003